(57)【要約】【課題】電源の効率の悪化を抑制し、かつ、通信の切断を抑制することが可能な無線端末を提供する。【解決手段】ベースバンド部６は、受信部４が受信した信号の電界レベルを測定し、その電界レベルが弱電界範囲に含まれるか否かを判断する。その電界レベルがその弱電界範囲に含まれない場合、ベースバンド部６は、ＤＣＤＣコンバータ２ｂを動作し降圧回路２ａにて降圧された電圧を送信部３に供給する。一方、その電界レベルが弱電界範囲に含まれる場合、ベースバンド部６は、ＤＣＤＣコンバータ２ｂを動作せずにバッテリー１の電圧を送信部３に供給する。【選択図】図１
2008193199.tif 000002
【特許請求の範囲】
【請求項１】
処理部と、
前記処理部の電源と、
前記電源の電圧を降圧する降圧部と、
前記降圧部をスイッチング制御する降圧制御部と、
信号を無線で受信する受信部と、
前記受信部が受信した信号の電界レベルを測定し、該電界レベルが予め定められた弱電界範囲に含まれるか否かを判断し、前記電界レベルが前記弱電界レベルに含まれない場合、前記降圧制御部を動作して前記降圧部にて降圧された電圧を前記処理部に供給し、前記電界レベルが前記弱電界範囲に含まれる場合、前記降圧制御部を動作せずに前記電源の電圧を処理部に供給する管理部と、を含む無線端末。
【請求項２】
請求項１に記載の無線端末において、
前記受信部は、前記信号として着信信号を受信し、
前記管理部は、前記着信信号の電界レベルが前記弱電界範囲に含まれない場合、前記降圧制御部を動作して前記降圧部にて降圧された電圧を前記処理部に供給し、前記着信信号の電界レベルが前記弱電界範囲に含まれる場合、前記降圧制御部を動作せずに前記電源の電圧を処理部に供給し、
前記受信部が前記着信信号を受信すると、無線通信を開始する制御部を含む無線端末。
【請求項３】
請求項２に記載の無線端末において、
前記受信部は、前記信号として前記着信信号と他の信号とを受信し、
前記管理部は、前記制御部が前記無線通信を開始した後で前記受信部が受信した他の信号の電界レベルが前記弱電界範囲に含まれない場合、前記降圧制御部を動作して前記降圧部にて降圧された電圧を前記処理部に供給し、前記他の信号の電界レベルが前記弱電界範囲に含まれる場合、前記降圧制御部を動作せずに前記電源の電圧を処理部に供給する、無線端末。
【請求項４】
処理部と、前記処理部の電源と、前記電源の電圧を降圧する降圧部と、前記降圧部をスイッチング制御する降圧制御部と、信号を無線で受信する受信部と、を含む無線端末が行なう電源制御方法であって、
前記受信部が受信した信号の電界レベルを測定する測定ステップと、
前記測定された電界レベルが予め定められた弱電界範囲に含まれるか否かを判断する判断ステップと、
前記電界レベルが前記弱電界レベルに含まれない場合、前記降圧制御部を動作して前記降圧部にて降圧された電圧を前記処理部に供給する降圧電圧供給ステップと、
前記電界レベルが前記弱電界範囲に含まれる場合、前記降圧制御部を動作せずに前記電源の電圧を処理部に供給する電圧供給ステップと、を含む電源制御方法。
【請求項５】
請求項４に記載の電源制御方法において、
前記受信部は、前記信号として着信信号を受信し、
前記降圧電圧供給ステップでは、前記着信信号の電界レベルが前記弱電界範囲に含まれない場合、前記降圧制御部を動作して前記降圧部にて降圧された電圧を前記処理部に供給し、
前記電圧供給ステップでは、前記着信信号の電界レベルが前記弱電界範囲に含まれる場合、前記降圧制御部を動作せずに前記電源の電圧を処理部に供給し、
前記受信部が前記着信信号を受信すると、無線通信を開始する通信ステップを含む電源制御方法。
【請求項６】
請求項５に記載の電源制御方法において、
前記受信部は、前記信号として前記着信信号と他の信号とを受信し、
前記降圧電圧供給ステップでは、前記無線通信が開始された後で前記受信部が受信した他の信号の電界レベルが前記弱電界範囲に含まれない場合、前記降圧制御部を動作して前記降圧部にて降圧された電圧を前記処理部に供給し、
前記電圧供給ステップでは、前記他の信号の電界レベルが前記弱電界範囲に含まれる場合、前記降圧制御部を動作せずに前記電源の電圧を処理部に供給する、電源制御方法。
【発明の詳細な説明】
【技術分野】
【０００１】
本発明は、電源の電圧の制御する無線端末および電源制御方法に関する。
【背景技術】
【０００２】
従来、電子機器には、その電子機器を構成する各デバイスに供給される電源の電圧を制御する電源制御装置が備えられている。電源制御装置では、電源の効率が良い、電源の電圧をスイッチング制御する電源制御装置が用いられることが多い。このような電源制御装置には、例えば、ＤＣＤＣコンバータがある。
【０００３】
ＤＣＤＣコンバータの問題点として、電圧がスイッチング制御されるために、ノイズが放出されることが挙げられる。このため、例えば、無線端末にＤＣＤＣコンバータが用いられた場合、受信信号と、ＤＣＤＣコンバータが放出するノイズとが干渉して、受信信号の通信品質が低下することがある。
【０００４】
電源制御装置が放出するノイズによる通信品質の低下を抑制することが可能な技術は、既に提案されている。このような技術には、例えば、特許文献１（特開２００４−３６４３９４号公報）に記載の電子機器がある。
【０００５】
この電子機器は、ノイズを放出する電源制御装置としてスイッチングレギュレータ（ＤＣＤＣコンバータに相当）を備える。スイッチングレギュレータでは、スイッチング周波数が変化すると、放出されるノイズの強さが変化する。電子機器は、受信信号の通信品質（エラーレート）を測定し、その通信品質が所定値より悪いと、そのスイッチングレギュレータのスイッチング周波数を変更して、通信品質を所定値より良くしている。
【０００６】
また、電子機器は、スイッチング周波数を変更しても、通信品質が所定値より良くならないと、最も通信品質が良いスイッチング周波数に変更する。または、電子機器は、スイッチング制御を行なわないリニアレギュレータを備え、スイッチングレギュレータによる電源制御時における通信品質と、リニアレギュレータによる電源制御時における通信品質とを比較して、通信品質が良い方で電源を制御する。
【特許文献１】特開２００４−３６４３９４号公報
【発明の開示】
【発明が解決しようとする課題】
【０００７】
受信信号の電界レベルが弱い状態で受信信号とノイズとが干渉すると、通信が切断される電界レベルの最大値（閾値）より大きくても、通信が切断されてしまうことが多くなる。一方、電界レベルが強いまたは普通の状態で受信信号とノイズが干渉されても、通信が切断されることは少ない。このため、電界レベルが弱い状態の時に、ノイズによる受信信号の影響が大きい。
【０００８】
また、通信品質が悪いほど、電界レベルが弱いとは限らない。このため、特許文献１に記載の電子機器では、ノイズの干渉による受信信号の影響が少ないときでも、スイッチングレギュレータのスイッチング周波数が変更されたり、スイッチングレギュレータより電源の効率の悪いリニアレギュレータで電源制御を行なったりする可能性がある。
【０００９】
したがって、特許文献１に記載の電子機器は、電源の効率が悪くなる可能性がある。
【００１０】
本発明の目的は、電源の効率の悪化を抑制し、かつ、通信の切断を抑制することが可能な無線端末および電源制御方法を提供することである。
【課題を解決するための手段】
【００１１】
上記の目的を達成するために、本発明の無線端末は、処理部と、前記処理部の電源と、前記電源の電圧を降圧する降圧部と、前記降圧部をスイッチング制御する降圧制御部と、信号を無線で受信する受信部と、前記受信部が受信した信号の電界レベルを測定し、該電界レベルが予め定められた弱電界範囲に含まれるか否かを判断し、前記電界レベルが前記弱電界レベルに含まれない場合、前記降圧制御部を動作して前記降圧部にて降圧された電圧を前記処理部に供給し、前記電界レベルが前記弱電界範囲に含まれる場合、前記降圧制御部を動作せずに前記電源の電圧を処理部に供給する管理部と、を含む。
【００１２】
また、本発明の電源制御方法は、処理部と、前記処理部の電源と、前記電源の電圧を降圧する降圧部と、前記降圧部をスイッチング制御する降圧制御部と、信号を無線で受信する受信部と、を含む無線端末が行なう電源制御方法であって、前記受信部が受信した信号の電界レベルを測定する測定ステップと、前記測定された電界レベルが予め定められた弱電界範囲に含まれるか否かを判断する判断ステップと、前記電界レベルが前記弱電界レベルに含まれない場合、前記降圧制御部を動作して前記降圧部にて降圧された電圧を前記処理部に供給する降圧電圧供給ステップと、前記電界レベルが前記弱電界範囲に含まれる場合、前記降圧制御部を動作せずに前記電源の電圧を処理部に供給する電圧供給ステップと、を含む。
【００１３】
上記の発明によれば、電界レベルが弱電界範囲に含まれない場合、電源の電圧をスイッチング制御する降圧制御部が動作して、降圧された電圧が処理部に供給される。また、電界レベルが弱電界範囲に含まれる場合、その降圧制御部が動作せずに、電源の電圧が処理部に供給される。
【００１４】
このため、弱電界範囲が適宜設定されれば、電界レベルが弱電界範囲に含まれる場合、降圧制御部が動作しないので、降圧制御部が降圧部をスイッチング制御することで放出されるノイズによる通信の切断を抑制することが可能になる。また、電界レベルが弱電界範囲に含まれない場合、降圧制御部が動作するので、通信が切断されることが少ないときには、効率良く電圧を制御することが可能になる。したがって、電源の効率の悪化を抑制し、かつ、通信の切断を抑制することが可能になる。
【００１５】
また、前記受信部は、前記信号として着信信号を受信し、前記管理部は、前記着信信号の電界レベルが前記弱電界範囲に含まれない場合、前記降圧制御部を動作して前記降圧部にて降圧された電圧を前記処理部に供給し、前記着信信号の電界レベルが前記弱電界範囲に含まれる場合、前記降圧制御部を動作せずに前記電源の電圧を処理部に供給し、前記受信部が前記着信信号を受信すると、無線通信を開始する制御部を含むことが望ましい。
【００１６】
上記の発明によれば、着信信号の電界レベルが弱電界範囲に含まれない場合、降圧制御部が動作する。また、その着信信号の電界レベルが弱電界範囲に含まれる場合、降圧制御部は動作しない。
【００１７】
このため、降圧制御部が放出するノイズにより、着信信号が受信できないことを抑制することが可能になる。
【００１８】
また、前記受信部は、前記信号として前記着信信号と他の信号と受信し、前記管理部は、前記制御部が前記無線通信を開始した後で前記受信部が受信した他の信号の電界レベルが前記弱電界範囲に含まれない場合、前記降圧制御部を動作して前記降圧部にて降圧された電圧を前記処理部に供給し、前記他の信号の電界レベルが前記弱電界範囲に含まれる場合、前記降圧制御部を動作せずに前記電源の電圧を処理部に供給することが望ましい。
【００１９】
一般に、信号の電界レベルは、時間と共に変化する。
【００２０】
上記の発明によれば、無線通信が開始された後で受信された信号の電界レベルが弱電界範囲に含まれない場合、降圧制御部が動作する。また、その信号の電界レベルが弱電界範囲に含まれる場合、降圧制御部が動作しない。
【００２１】
このため、無線通信中に電界レベルが時間と共に変化しても、通信の切断を抑制することが可能になる。
【発明の効果】
【００２２】
本発明によれば、電源の効率の悪化を抑制し、かつ、通信の切断を抑制することが可能になる。
【発明を実施するための最良の形態】
【００２３】
以下、本発明の実施例について図面を参照して説明する。
【００２４】
図１は、本発明の第１の実施例の無線端末の構成を示したブロック図である。
【００２５】
図１において、無線端末は、バッテリー１と、電源制御部２と、送信部３と、受信部４と、アンテナ５と、ベースバンド部６と、制御部７とを含む。
【００２６】
バッテリー１は、送信部３の電源である。
【００２７】
電源制御部２は、バッテリー１の電圧をスイッチング制御する。
【００２８】
電源制御部２は、降圧回路２ａと、ＤＣＤＣコンバータ２ｂと、選択部２ｃとを含む。
【００２９】
降圧回路２ａは、バッテリー１の電圧を降圧する降圧部である。
【００３０】
ＤＣＤＣコンバータ２ｂは、降圧回路２ａをスイッチング制御して、バッテリー１の電圧をスイッチング制御する降圧制御部である。ＤＣＤＣコンバータ２ｂは、バッテリー１を効率良く制御することが可能である。しかしながら、ＤＣＤＣコンバータ２ｂは、降圧回路２ａをスイッチング制御する動作を行なうため、ノイズを放出する。
【００３１】
選択部２ｃは、バッテリー１の電圧の供給先を、送信部３および降圧回路２ａのどちらか一方に設定する。
【００３２】
また、選択部２ｃは、その設定された供給先に電圧を供給するか否かを設定する。なお、バッテリー１の電圧の供給先が降圧回路２ａの場合、送信部３には、降圧回路２ａにて降圧されたバッテリー１の電圧が供給される。
【００３３】
送信部３は、アンテナ５を経由して、種々の信号を無線基地局（図示せず）に無線で送信する。なお、送信部３は、処理部の一例である。
【００３４】
受信部４は、無線基地局からアンテナ５を経由して種々の信号を無線で受信する。ここで、受信部４は、着信信号と、他の信号とを受信する。
【００３５】
ベースバンド部６は、受信部４が受信した信号を復元する。
【００３６】
また、ベースバンド部６は、受信部４が受信した信号の電界レベルを測定する。ベースバンド部６は、その測定した電界レベルが予め定められた範囲に含まれるか否かを判断する。
【００３７】
この範囲は、その受信された信号の電界が弱電界であることを示す範囲である。この範囲の下限は、ＤＣＤＣコンバータ２ｂが動作していない場合に、通話が切断される電界レベルの最大値（閾値）に定められることが望ましい。また、この範囲の上限は、例えば、ＤＣＤＣコンバータ２ｂが動作しても、ＤＣＤＣコンバータ２ｂが放出するノイズが原因で通話が切断されることのない（少ない）電界レベル値に定められることが望ましい。以下、この範囲を、弱電界エリアと称する。
【００３８】
その測定された電界レベルが弱電界範囲に含まれない場合、ベースバンド部６は、ＤＣＤＣコンバータ２ｂを動作し降圧回路２ａにて降圧された電圧を送信部３に供給する。具体的には、ベースバンド部６は、ＤＣＤＣコンバータ２ｂを動作し、選択部２ｃに電圧の供給先として降圧回路２ａを設定する。
【００３９】
一方、その測定された電界レベルが弱電界範囲に含まれる場合、ベースバンド部６は、ＤＣＤＣコンバータを動作せずにバッテリー１の電圧を送信部３に供給する。具体的には、ベースバンド部６は、ＤＣＤＣコンバータ２ｂを動作せずに、選択部２ｃに電圧の供給先として送信部３を設定する。
【００４０】
なお、無線端末が待ち受け状態である場合、ＤＣＤＣコンバータ２ｂは動作していない。また、選択部２ｃは、送信部３に電圧の供給をしていない。
【００４１】
この場合、ベースバンド部６は、受信部４が着信信号を受信すると、その着信信号の電界レベルが弱電界範囲に含まれない場合、ベースバンド部６は、ＤＣＤＣコンバータ２ｂを動作し降圧回路２ａにて降圧された電圧を送信部３に供給する。一方、その着信信号の電界レベルが弱電界範囲に含まれる場合、ベースバンド部６は、ＤＣＤＣコンバータを動作せずにバッテリー１の電圧を送信部３に供給する。
【００４２】
このとき、ベースバンド部６は、選択部２ｃに電圧の供給先を設定すると、選択部２ｃに電圧の供給を設定する。
【００４３】
制御部７は、ベースバンド部６の種々の動作を制御する。また、制御部７は、ベースバンド部６で復元された信号に応じて、種々の処理を行なう。例えば、ベースバンド部６で復元された信号が着信信号であると、送信部３および受信部４を用いて無線通信を開始する。なお、図１において、ＲＦは、制御部７を示す。
【００４４】
次に動作を説明する。
【００４５】
図２は、無線端末の動作を説明するためのフローチャートである。なお、図２において、無線端末は、待ち受け状態であるとする。また、受信部４は、定期的に無線基地局からアンテナ５を経由して信号を受信し、その信号をベースバンド部６に出力する。ベースバンド部６は、その信号を受け付けると、ステップＳ２１を実行する。
【００４６】
ステップＳ２１では、ベースバンド部６は、受信部４から受信した信号の電界レベルを測定する。ベースバンド部６は、その測定された電界レベルを保持する。なお、このときに、ベースバンド部６は、最も新しい電界レベルを保持するものとする。
【００４７】
ベースバンド部６は、電界レベルを測定すると、その信号を復元し、その復元した信号を制御部７に出力する。
【００４８】
制御部７は、その信号を受け付けると、その信号が着信信号か否かを判断する。制御部７は、その信号が着信信号である場合、ステップＳ２２を実行する。
【００４９】
ステップＳ２２では、制御部７は、送信部３への電圧の供給を示す供給信号をベースバンド部６に出力する。
【００５０】
ベースバンド部６は、その供給信号を受け付けると、その供給信号を受け付ける直前に測定した電界レベルが弱電界エリアに含まれるか否かを判断する。なお、この供給信号を受け付ける直前に測定した電界レベルは、保持している電界レベルであり、着信信号の電界レベルになる。
【００５１】
ベースバンド部６は、その電界レベルが弱電界エリアに含まれると、ステップＳ２３を実行し、その電界レベルが弱電界エリアに含まれないと、ステップＳ２４を実行する。
【００５２】
ステップＳ２３では、ベースバンド部６は、バッテリー１の電圧の供給を示す制御信号を選択部２ｃに出力する。選択部２ｃは、その制御信号を受け付けると、バッテリー１の電圧の供給先を送信部３に設定をする。
【００５３】
ベースバンド部６は、制御信号を出力すると、オンを示す供給制御信号を選択部２ｃに出力する。選択部２ｃは、その供給制御信号を受け付けると、バッテリー１の電圧を設定した供給先（送信部３）に供給する。
【００５４】
また、ベースバンド部６は、その供給制御信号を出力すると、ステップＳ２５を実行する。
【００５５】
一方、ステップＳ２４では、ベースバンド部６は、降圧した電圧の供給を示す制御信号を選択部２ｃに出力する。選択部２ｃは、その制御信号を受け付けると、バッテリー１の電圧の供給先を降圧回路２ａに設定をする。
【００５６】
ベースバンド部６は、制御信号を出力すると、オンを示す供給制御信号を選択部２ｃおよびＤＣＤＣコンバータ２ｂに出力する。
【００５７】
選択部２ｃは、その供給制御信号を受け付けると、バッテリー１の電圧を降圧回路２ａに供給する。
【００５８】
ＤＣＤＣコンバータ２ｂは、その供給制御信号を受け付けると、動作する。具体的には、ＤＣＤＣコンバータ２ｂは、降圧回路２ａをスイッチング制御してバッテリー１の電圧を降圧する。降圧回路２ａは、バッテリー１から供給された電圧を降圧し、その降圧した電圧を送信部３に供給する。
【００５９】
なお、ＤＣＤＣコンバータ２ｂによる降圧回路２ａのスイッチング制御は、当業者にとって自明なため詳細な説明は省略する。
【００６０】
ベースバンド部６は、供給制御信号を出力すると、ステップＳ２５を実行する。
【００６１】
ステップＳ２５では、ベースバンド部６は、電圧が完了したことを示す完了信号を制御部７に出力する。
【００６２】
制御部７は、その完了情報を受け付けると、着信信号に対する応答信号を送信部３に出力する。送信部３は、その応答信号を受け付けると、その応答信号を、アンテナ５を介して無線基地局に無線で送信する。
【００６３】
制御部７は、応答信号を出力すると、ステップＳ２６を実行する。
【００６４】
ステップＳ２６では、制御部７は、送信部３および受信部４を用いて、無線通信を開始する。
【００６５】
次に効果を説明する。
【００６６】
本実施例によれば、ベースバンド部６は、受信部４が受信した信号の電界レベルを測定し、その電界レベルが弱電界範囲に含まれるか否かを判断する。その電界レベルがその弱電界範囲に含まれない場合、ベースバンド部６は、ＤＣＤＣコンバータ２ｂを動作し降圧回路２ａにて降圧された電圧を送信部３に供給する。一方、その電界レベルが弱電界範囲に含まれる場合、ベースバンド部６は、ＤＣＤＣコンバータ２ｂを動作せずにバッテリー１の電圧を送信部３に供給する。
【００６７】
この場合、弱電界範囲が適宜設定されれば、電界レベルが弱電界範囲に含まれる場合、ＤＣＤＣコンバータ２ｂが動作しないので、ＤＣＤＣコンバータ２ｂが降圧回路２ａをスイッチング制御することで放出されるノイズによる通信の切断を抑制することが可能になる。また、電界レベルが弱電界範囲に含まれない場合、ＤＣＤＣコンバータ２ｂが動作するので、通信が切断されることが少ないときには、効率良く電圧を制御することが可能になる。したがって、電源の効率の悪化を抑制し、かつ、通信の切断を抑制することが可能になる。
【００６８】
また、本実施例によれば、その着信信号の電界レベルがその弱電界範囲に含まれない場合、ベースバンド部６は、ＤＣＤＣコンバータ２ｂを動作し降圧回路２ａにて降圧された電圧を送信部３に供給する。一方、その着信信号の電界レベルが弱電界範囲に含まれる場合、ベースバンド部６は、ＤＣＤＣコンバータ２ｂを動作せずにバッテリー１の電圧を送信部３に供給する。
【００６９】
この場合、ＤＣＤＣコンバータ２ｂが放出するノイズにより、着信信号が受信できないことを抑制することが可能になる。
【００７０】
次に第２実施例について説明する。
【００７１】
本実施例では、通話状態の無線端末の動作を説明する。
【００７２】
図３は、第２の実施例の無線端末の動作を説明するためのフローチャートである。なお、図３において、無線端末は、通話状態であるとする。このとき、受信部４は、無線基地局からアンテナ５を経由して、他の信号（例えば、通話内容を示す信号）を受信する。以下、この他の信号を通話信号と称する。
【００７３】
受信部４は、通話信号を無線で受信すると、その通話信号をベースバンド部６に出力する。ベースバンド部６は、その通話信号を受け付けると、ステップＳ３１を実行する。
【００７４】
ステップＳ３１では、ベースバンド部６は、受信部４から受信した通話信号の電界レベルを測定する。ベースバンド部６は、電界レベルを測定すると、その通話信号を復元し、その復元した通話信号を制御部７に出力する。制御部７は、その通話信号を受け付けると、その通話信号に応じた通信処理を続ける。
【００７５】
また、ベースバンド部６は、電界レベルを測定すると、ステップＳ３２を実行する。
【００７６】
ステップＳ３２では、ベースバンド部６は、その測定した電界レベルが弱電界エリアに含まれるか否かを判断する。ベースバンド部６は、その電界レベルが弱電界エリアに含まれると、ステップＳ３３を実行し、その電界レベルが弱電界エリアに含まれないと、ステップＳ３４を実行する。
【００７７】
ステップＳ３３では、ベースバンド部６は、バッテリー１の電圧の供給を示す制御信号を選択部２ｃに出力する。選択部２ｃは、その制御信号を受け付けると、バッテリー１の電圧の供給先を送信部３に設定して、バッテリー１の電圧を送信部３に供給する。
【００７８】
また、ベースバンド部６は、制御信号を出力すると、ステップＳ３５を実行する。
【００７９】
一方、ステップＳ３４では、ベースバンド部６は、降圧した電圧の供給を示す制御信号を選択部２ｃに出力し、オンを示す供給制御信号をＤＣＤＣコンバータ２ｂに出力する。選択部２ｃは、その制御信号を受け付けると、バッテリー１の電圧の供給先を降圧回路２ａに設定して、バッテリー１の電圧を降圧回路２ａに供給する。
【００８０】
ＤＣＤＣコンバータ２ｂは、その供給制御信号を受け付けると、動作する。具体的には、ＤＣＤＣコンバータ２ｂは、降圧回路２ａをスイッチング制御してバッテリー１の電圧を降圧する。降圧回路２ａは、バッテリー１から供給された電圧を降圧し、その降圧した電圧を送信部３に供給する。
【００８１】
また、ベースバンド部６は、供給制御信号を出力すると、ステップＳ３５を実行する。
【００８２】
ステップＳ３５では、制御部７は、その信号に応じて、通話処理を続ける。なお、通話処理は、当業者にとって自明であり、本発明と直接関係しないので詳細な説明は省略する。
【００８３】
その後、通話中、ステップＳ３１ないしＳ３５の処理が繰り返される。
【００８４】
次に効果を説明する。
【００８５】
本実施例によれば、制御部７が無線通信を開始した後で受信部４が受信した通話信号の電界レベルが弱電界範囲に含まれない場合、ベースバンド部６は、ＤＣＤＣコンバータ２ｂを動作して降圧回路２ａにて降圧された電圧を送信部３に供給する。一方、制御部７が無線通信を開始した後で受信部４が受信した通話信号の電界レベルが弱電界範囲に含まれない場合、ベースバンド部６は、ＤＣＤＣコンバータ２ｂを動作せずにバッテリー１の電圧を送信部３に供給する。
【００８６】
この場合、無線通信中に電界レベルが時間と共に変化しても、通信の切断を抑制することが可能になる。
【００８７】
以上説明した各実施例において、図示した構成は単なる一例であって、本発明はその構成に限定されるものではない。
【００８８】
例えば、各実施例において、管理部としてベースバンド部６が用いられていたが、実際には、管理部は、ベースバンド部６と独立した回路でもよい。
【００８９】
また、各実施例において、無線通信を音声通話として説明したが、無線通信は、音声通信に限らず、適宜変更可能である。例えば、無線通信は、データ通信でもよい。
【図面の簡単な説明】
【００９０】
【図１】本発明の一実施例の無線端末の構成を示したブロック図である。
【図２】無線端末の動作の一例を説明するためのフローチャートである。
【図３】無線端末の他の動作を説明するためのフローチャートである。
【符号の説明】
【００９１】
１        バッテリー
２        電源制御部
２ａ      降圧回路
２ｂ      ＤＣＤＣコンバータ
２ｃ      選択部
３        送信部
４        受信部
５        アンテナ
６        ベースバンド部
７        制御部
【図１】
2008193199.tif 000003
【図２】
2008193199.tif 000004
【図３】
2008193199.tif 000005